(57)【要約】【課題】ユニット交換による色味バランスの変化を軽減することができる画像読み取り装置を提供する。【解決手段】交換検知手段３０１は、ユニットＡの交換を検知する。記憶手段３０２は、図２の本体ラベル２０１の内容（原稿台ガラス１の厚み情報）と図５のユニットラベル５０１の内容（交換ユニットの光学特性；解像度の変化情報）を記憶する。解像度予測手段３０３は、記憶手段に記憶されている原稿台ガラス１の厚み情報と解像度の変化情報からユニット交換後、即ち交換ユニット搭載後の解像度を予測する。解像度補正手段３０４は、解像度予測手段３０３による解像度予測結果に基づき、解像度を補正する。【選択図】図３
2008235983.tif 000002
【特許請求の範囲】
【請求項１】
原稿を照明する照明用光源と、原稿を載せる原稿台ガラスと、原稿からの画像情報を、結像レンズを介して読み取る電荷結合素子とを備え、前記照明用光源と前記結像レンズと前記電荷結合素子がユニットとして構成され、前記ユニットが原稿の副走査方向に移動して前記原稿台ガラスを介して原稿を読み取る画像読み取り装置において、
前記ユニットの光路長変化による解像度の変化情報を前記ユニットに保持させ、前記原稿台ガラスの厚み情報を装置本体に保持させることを特徴とする画像読み取り装置。
【請求項２】
前記ユニットの交換を検知する交換検知手段と、
前記原稿台ガラスの厚み情報と前記解像度の変化情報を記憶する記憶手段と、
前記記憶手段に記憶されている前記原稿台ガラスの厚み情報と前記解像度の変化情報からユニット交換後の解像度を予測する解像度予測手段と、
前記解像度予測手段による解像度予測結果に基づき、解像度を補正する解像度補正手段と、
を備えることを特徴とする請求項１記載の画像読み取り装置。
【請求項３】
前記解像度補正手段は、複数色の中で一番解像度の低い色にほかの色の解像度を合わせる補正を行うことを特徴とする請求項２記載の画像読み取り装置。
【請求項４】
前記解像度補正手段は、前記ユニット交換前の解像度と同一の解像度となる補正を行うことを特徴とする請求項２記載の画像読み取り装置。
【発明の詳細な説明】
【技術分野】
【０００１】
本発明は、原稿の画像情報を、結像レンズを介して電荷結合素子上に結像して読み取る画像読み取り装置に関する。
【背景技術】
【０００２】
従来、原稿等の画像情報を副走査方向にライン走査して、ＲＧＢ３色の電荷結合素子（ＣＣＤセンサ等）で読み取る画像読み取り装置が知られている（例えば、特許文献１参照）。このような、ＲＧＢ３色のＣＣＤで読み取る画像読み取り装置として、後述する図１に示す如き装置が知られている。
【０００３】
図１の画像読み取り装置は、結像レンズとして、ＳＬＡ（セルフォックレンズアレイ）を使用することが多く、ＳＬＡの特性として、被写界深度が狭いことが一般的に知られている。
【０００４】
また、図１の構成上、ユニットＡを装置本体に載置した状態では、解像度の調整は行っていない。そのため、使用される原稿台ガラスの厚み規格を厳しくすることで解像度の落ち込みを軽減している。
【特許文献１】特開平０６−１１３１１２号公報
【発明の開示】
【発明が解決しようとする課題】
【０００５】
しかしながら、市場において、ユニットＡが交換された場合、原稿台ガラスの厚み差により結像位置が移動し、交換前後による解像度（ＣＴＦ）の変化が発生するという問題がある。
【０００６】
図４は、画像読み取り装置に搭載されているユニットの光学特性を示す図であり、（ａ）は、特性グラフ、（ｂ）は図表化されたユニットラベル４０１である。
【０００７】
原稿台ガラスの厚みが設計称呼時を０とし、厚みがそれぞれ光路長方向に＋方向、−方向に変化させたときに示すＣＴＦ値を表している。
【０００８】
画像読み取り装置の原稿台ガラスの厚みが設計称呼に対して、+０．１ｍｍ厚いときの画像読み取り装置のＣＴＦ値を考えてみると、図４から
Ｒ：６０．８％  Ｇ：８１．１％  Ｂ：７６．０％
となる。
【０００９】
図５は、交換ユニット（新たに搭載されるユニット）の光学特性を示す図であり、（ａ）は、特性グラフ、（ｂ）図表化されたユニットラベル５０１である。
【００１０】
この交換ユニットが原稿台ガラスの厚みが設計称呼に対して+０．１ｍｍ厚いときの画像読み取り装置に交換された場合のＣＴＦ値を予測すると
Ｒ：３５．４％  Ｇ７６．０％  Ｂ：６０．８％
となることがわかる。
【００１１】
このようにユニット交換によるＣＴＦの変化は、特にカラ−において、原稿の色再現性を落す要因になる。
【００１２】
本発明の目的は、ユニット交換による色味バランスの変化を軽減することができる画像読み取り装置を提供することにある。
【課題を解決するための手段】
【００１３】
上記目的を達成するために、請求項１記載の画像読み取り装置は、原稿を照明する照明用光源と、原稿を載せる原稿台ガラスと、原稿からの画像情報を、結像レンズを介して読み取る電荷結合素子とを備え、前記照明用光源と前記結像レンズと前記電荷結合素子がユニットとして構成され、前記ユニットが原稿の副走査方向に移動して前記原稿台ガラスを介して原稿を読み取る画像読み取り装置において、前記ユニットの光路長変化による解像度の変化情報を前記ユニットに保持させ、前記原稿台ガラスの厚み情報を装置本体に保持させることを特徴とする。
【発明の効果】
【００１４】
本発明の画像読み取り装置は、照明用光源と結像レンズと電荷結合素子がユニットとして構成され、ユニットが原稿の副走査方向に移動して原稿台ガラスを介して原稿を読み取る。そして、ユニットの光路長変化による解像度の変化情報をユニットに保持させ、原稿台ガラスの厚み情報を装置本体に保持させる。
【００１５】
この構成により、ユニット交換による色味バランスの変化を軽減することができる。
【発明を実施するための最良の形態】
【００１６】
以下、本発明の実施の形態を図面を参照しながら詳細に説明する。
【００１７】
図１は、本発明の実施の形態に係る画像読み取り装置の構成図である。
【００１８】
図１において、本画像読み取り装置は、原稿台ガラス１、照明用光源３、結像レンズ４、電荷結合素子５、スペ−サ６、シャフト７を備える。
【００１９】
原稿台ガラス１上に載置された原稿２は、照明用光源３により照明され、反射された原稿２の情報光は、結像レンズ４に導かれ、電荷結合素子５上に結像されて読み取られる。
【００２０】
また、照明用光源３、結像レンズ４、電荷結合素子５は、ユニットＡを構成しており、ユニットＡは、原稿台ガラス１との位置関係が一定に保持されるようにスペ−サ６が設けられている。
【００２１】
原稿２は、ユニットＡがシャフト７を介して副走査方向に移動して全域が読み取られるようになっている。
【００２２】
電荷結合素子５上に結像された画像情報は、電気信号に変換され、図示しない出力装置に送られてプリント出力として画像情報の出力が行われる場合や、記憶装置に送られて入力画像情報の記憶が行われる場合がある。
【００２３】
図２は、図１の画像読み取り装置本体に取り付けられる本体ラベルの内容を示す図である。
【００２４】
図２において、本体ラベル２０１は、原稿台ガラス１の厚み情報及び解像度の情報、ユニットＡの光路長変化による解像度の変化情報を記載している。厚みにおいては、設計称呼厚みとの差を表記してある。本体ラベル２０１は、画像読み取り装置出荷時に同梱されている。
【００２５】
また、現在装着されているユニットＡを取り外した後に、新たに画像読み取り装置に搭載されるユニットである交換ユニットＡには、上記図５（ｂ）に示すユニットラベル５０１が同梱されている。
【００２６】
市場において、ユニットＡが交換される際に作業者は、まず交換を要する画像読み取り装置において、図２の本体ラベル２０１で原稿台ガラス１の厚みを確認する。そして、交換ユニットＡに同梱されている図５のユニットラベル５０１に記載されている交換ユニットＡの光学特性から、交換後の画像読み取り装置のＣＴＦ値を予測する。
【００２７】
この場合、交換後のＲ、Ｇ、ＢのＣＴＦ値は、
Ｒ：３５．４％  Ｇ７６．０％  Ｂ：６０．８％
と予測される。
【００２８】
交換する作業者は、求めたＲ、Ｇ、ＢのＣＴＦ値から、複数色の中で一番解像度の低い色のＣＴＦ値を選び、他の色のＣＴＦ値が一番解像度の低い色のＣＴＦ値と同じ値になるように、各色での補正係数を算出する。補正係数の算出方法において、例を挙げて説明する。
【００２９】
画像読み取り装置のユニットＡ交換後の予測されるＲ、Ｇ、ＢのＣＴＦ値がそれぞれ、３５．４％、７６．０％、６０．８％だった時に一番低いＣＴＦ値は、Ｒの３５．４％となる。
【００３０】
Ｇ、ＢのＣＴＦ値に係数をかけて、ＲのＣＴＦ値になるための補正係数は、
Ｇの補正係数＝ＲのＣＴＦ値／ＧのＣＴＦ値＝３５．４／７６．０＝０．４６５８
Ｂの補正係数＝ＲのＣＴＦ値／ＢのＣＴＦ値＝３５．４／６０．８＝０．５８２２
で表される。
【００３１】
ユニットＡを交換した作業者は、画像読み取り装置に上記で算出した、各色の補正係数を入力する。ユニットＡ交換後の画像読み取り装置の予測される各色のＣＴＦ値において、一番低い色の補正係数の値は１．０となる。
【００３２】
補正前においては、ユニットＡを交換することから、Ｒ、Ｇ、ＢのＣＴＦ値がそのまま適用されてしまい、この値の差だけ原稿の色味バランスを崩してしまうことになる。しかし、補正をかけることでユニットＡ交換による色味バランスの変化を軽減することが可能になる。
【００３３】
上記補正係数を、予測されるＣＴＦ値に対して、ＣＴＦ値が一番低い色を基準として算出する例を挙げた。
【００３４】
以下では、ユニットＡの交換後のＣＴＦ値において、図２の本体ラベル２０１に記載されている交換前の画像読み取り装置のＣＴＦ値になるように補正をかける算出方法を説明する。
【００３５】
上記したように、図５のユニットラベル５０１を取り付けた交換ユニットＡを載置したときの画像読み取り装置のＣＴＦ値を
Ｒ：３５．４％  Ｇ７６．０％  Ｂ：６０．８％
と予測した。
【００３６】
また、図２の本体ラベル２０１に記載されている交換前の画像読み取り装置のＣＴＦ値は、
Ｒ：６０．８％  Ｇ：８１．１％  Ｂ：７６．０％
となっている。
【００３７】
この関係から求める補正係数は、
Ｒの補正係数＝交換前のＲのＣＴＦ値／交換後に予測されるＲのＣＴＦ値＝６０．８／３５．４＝１．７１８  
Ｇの補正係数＝交換前のＧのＣＴＦ値／交換後に予測されるＧのＣＴＦ値＝８１．１／７６．０＝１．０６７１
Ｂの補正係数＝交換前のＢのＣＴＦ値／交換後に予測されるＢのＣＴＦ値＝７６．０／６０．８＝１．２５００
で表される。
【００３８】
補正前においては、ユニットＡを交換することから、Ｒ、Ｇ、ＢのＣＴＦ値がそのまま適用されてしまい、この値の差だけ原稿の色味バランスを崩してしまうことになる。しかし、補正をかけることでＣＣＤユニット交換による色味バランスの変化を軽減することが可能になる。
【００３９】
また、上記一連の作業及び算出機能を、画像読み取り装置に持たせることで、作業者は値を入力するのみで済む。以下、その内容を説明する。
【００４０】
図３は、本発明の実施の形態に係る画像読み取り装置の機能ブロック図である。
【００４１】
図３において、本画像読み取り装置は、交換検知手段３０１、記憶手段３０２、解像度予測手段３０３と、解像度補正手段３０４とを備える。
【００４２】
交換検知手段３０１は、ユニットＡの交換を検知する。記憶手段３０２は、図２の本体ラベル２０１の内容（原稿台ガラス１の厚み情報）と図５のユニットラベル５０１の内容（交換ユニットの光学特性；解像度の変化情報）を記憶する。
【００４３】
解像度予測手段３０３は、記憶手段に記憶されている原稿台ガラス１の厚み情報と解像度の変化情報からユニット交換後、即ち交換ユニット搭載後の解像度を予測する。
【００４４】
解像度補正手段３０４は、解像度予測手段３０３による解像度予測結果に基づき、解像度を補正する。また、解像度補正手段３０４は、ユニット交換前の解像度と同一の解像度となる補正を行う。
【００４５】
本実施の形態の画像読み取り装置は、ユニットＡの光路長変化による解像度の変化情報をユニットＡに保持させ、原稿台ガラス１の厚み情報を装置本体に保持させることで所期の目的を達成する。
【図面の簡単な説明】
【００４６】
【図１】本発明の実施の形態に係る画像読み取り装置の構成図である。
【図２】図１の画像読み取り装置本体に取り付けられる本体ラベルの内容を示す図である。
【図３】本発明の実施の形態に係る画像読み取り装置の機能ブロック図である。
【図４】画像読み取り装置に搭載されているユニットの光学特性を示す図である。
【図５】交換ユニット（新たに搭載されるユニット）の光学特性を示す図である。
【符号の説明】
【００４７】
１  原稿台ガラス
２  原稿
３  照明用光源
４  結像レンズ
５  電荷結合素子
６  スペーサ
７  シャフト
Ａ  ユニット
３０１  交換検知手段
３０２  記憶手段
３０３  解像度予測手段
３０４  解像度補正手段
【図１】
2008235983.tif 000003
【図２】
2008235983.tif 000004
【図３】
2008235983.tif 000005
【図４】
2008235983.tif 000006
【図５】
2008235983.tif 000007